(57)【特許請求の範囲】
【請求項１】
電力変換器用の集積回路制御器であって、
前記電力変換器の出力を調節するために電力スイッチのスイッチングを制御するように連結された制御部と、
前記集積回路制御器の端子からの信号を受信するように連結されたセンサであって、前記端子からの信号は、前記電力スイッチのオン状態のうちの少なくとも一部分の間の前記電力変換器の入力電圧を表し、かつ、前記電力スイッチのオフ状態のうちの少なくとも一部分の間の前記電力変換器の出力電圧を表し、前記センサは、前記電力スイッチのオン状態のうちの少なくとも一部分の間、前記端子からの信号をサンプリングするように連結された、前記センサと、
前記センサと前記制御部との間に連結され、前記サンプリングされた信号に応答して前記電力変換器の不良状態を検出するように連結される不良検出器とを含み、前記不良検出器は、前記不良状態を検出することに応答して前記制御部が前記電力変換器の電力出力レベルを下げるために前記電力スイッチの前記スイッチングを阻止するように連結される集積回路制御器。
【請求項２】
前記不良検出器が、前記不良状態が検出される時間を判定するため、及び前記判定された時間が第１のしきい値時間期間以上であれば前記電力変換器の前記電力出力レベルを下げるように前記制御部に阻止信号を出力するためのカウンタを含む、請求項１に記載の集積回路制御器。
【請求項３】
前記カウンタが、前記不良状態が残っているかどうかに関係なく第２のしきい値時間の間、前記電力変換器の前記電力出力レベルを下げるように前記制御部に阻止信号を出力する、請求項２に記載の集積回路制御器。
【請求項４】
前記制御部が、前記電力スイッチがオン状態にあるときに前記電力スイッチを通るドレイン電流を制限することによって前記電力変換器の前記電力出力レベルを下げるように前記電力スイッチの前記スイッチングを阻止する、請求項１に記載の集積回路制御器。
【請求項５】
前記センサが、前記制御部から前記電力スイッチに出力されるドライブ信号に応答して前記電力スイッチの前記オン状態のうちの前記一部分の間、前記端子から前記信号をサンプリングする、請求項１に記載の集積回路制御器。
【請求項６】
前記端子からの前記信号が第１の信号と第２の信号を含み、前記第１の信号が前記電力スイッチの前記オン状態のうちの少なくとも前記部分の間の前記電力変換器の前記入力電圧を表す電流であり、前記第２の信号が前記電力スイッチの前記オフ状態のうちの少なくとも前記部分の間の前記電力変換器の前記出力電圧を表す電圧である、請求項１に記載の集積回路制御器。
【請求項７】
前記制御部が、前記制御部から前記電力スイッチに出力されるドライブ信号のデューティ・サイクルを調節することによって前記電力変換器の前記電力出力レベルを下げるように前記電力スイッチの前記スイッチングを阻止するように連結される、請求項１に記載の集積回路制御器。
【請求項８】
前記電力スイッチが、前記電力スイッチの前記オン状態のうちの少なくとも前記部分の間の前記入力電圧を実質的に表す反映電圧を生成するための補助巻線を含むエネルギー伝達素子に連結され、前記反映電圧に応答して感知信号が生成される、請求項１に記載の集積回路制御器。
【請求項９】
前記端子がフィードバック端子であり、前記集積回路制御器が接地端子をさらに含み、フィードバック回路が、
前記補助巻線と前記フィードバック端子との間に連結された第１の抵抗器と、
前記フィードバック端子と前記接地端子との間に連結された第２の抵抗器とを含み、前記集積回路制御器によって調節される前記電力変換器の前記出力の値が前記第１の抵抗器の抵抗値と前記第２の抵抗器の抵抗値に応答する、請求項８に記載の集積回路制御器。
【請求項１０】
電力変換器用の集積回路制御器であって、
前記電力変換器のフィードバック回路に連結される端子を含み、前記フィードバック回路は前記電力変換器の出力を表すフィードバック情報を与えるよう連結され、前記集積回路制御器はさらに、
前記フィードバック情報に応答して前記電力変換器の前記出力を調節するために前記電力変換器の電力スイッチのスイッチングを制御するように連結された制御部と、
前記端子に連結され、前記端子において電流をサンプリングするように連結されたセンサであって、前記サンプリングされた電流が前記電力変換器の入力電圧を表すセンサと、
前記センサと前記制御部との間に連結され、前記サンプリングされた電流に応答して不良状態を検出するように連結される不良検出器とを含み、前記不良検出器が前記不良状態を検出することに応答して前記制御部が前記電力変換器の電力出力レベルを下げ、
前記不良検出器は、前記不良状態が検出される時間を判定するため、及び前記判定された時間が第１のしきい値時間期間以上であれば前記電力変換器の電力出力レベルを下げるように前記制御部に阻止信号を出力するためのカウンタを含む、集積回路制御器。
【請求項１１】
前記不良検出器は、前記サンプリングされた電流をしきい値電流と比較するように、かつ前記不良状態が存在するかどうかを示すための決定信号を発生させるように連結された電流比較器を含む、請求項１０に記載の集積回路制御器。
【請求項１２】
前記不良状態は、前記フィードバック回路が前記集積回路制御器の前記端子から切り離されていることを含む、請求項１０に記載の集積回路制御器。
【請求項１３】
前記制御部は、前記電力スイッチのスイッチング周波数を調節することによって前記電力変換器の前記電力出力レベルを下げるように連結される、請求項１０に記載の集積回路制御器。
【請求項１４】
前記電力スイッチは、前記集積回路制御器の中に組み込まれる、請求項１０に記載の集積回路制御器。
【請求項１５】
前記センサは、前記電力スイッチのオン状態のうちの少なくとも一部分の間、前記端子を実質的に一定の電圧にクランプするように連結される、請求項１０に記載の集積回路制御器。
【請求項１６】
前記カウンタは、前記不良状態が残っているかどうかに関係なく第２のしきい値時間の間、前記電力変換器の前記電力出力レベルを下げるように前記制御部に阻止信号を出力する、請求項１０に記載の集積回路制御器。
【発明の詳細な説明】
【技術分野】
【０００１】
本出願は２００７年４月６日に提出された「Ｍｅｔｈｏｄ  ａｎｄ  Ａｐｐａｒａｔｕｓ  ｆｏｒ  Ｐｏｗｅｒ  Ｃｏｎｖｅｒｔｅｒ  Ｆａｕｌｔ  Ｃｏｎｄｉｔｉｏｎ  Ｄｅｔｅｃｔｉｏｎ」という表題の米国仮出願第６０／９２２１２５号明細書の恩典を権利主張するものである。
【０００２】
本出願は日付けに提出された「Ｍｅｔｈｏｄ  ａｎｄ  Ａｐｐａｒａｔｕｓ  ｆｏｒ  Ｓｅｎｓｉｎｇ  Ｍｕｌｔｉｐｌｅ  Ｖｏｌｔａｇｅ  Ｖａｌｕｅｓ  Ｆｒｏｍ  ａ  Ｓｉｎｇｌｅ  Ｔｅｒｍｉｎａｌ  ｏｆ  ａ  Ｐｏｗｅｒ  Ｃｏｎｖｅｒｔｅｒ  Ｃｏｎｔｒｏｌｌｅｒ」という表題の同時係属の米国非仮出願第＃＃／＃＃＃＃＃＃号明細書に関連する。
【０００３】
本発明は概して電力変換器に関し、さらに特定すると本発明は電力変換器の出力を調節する制御回路に関する。
【背景技術】
【０００４】
携帯電話、携帯情報端末（ＰＤＡ）、ラップトップ等の多くの電気器具は、比較的低電圧のＤＣ電力の電源によって電力が供給される。電力は、一般に、高電圧ＡＣ電力として壁付コンセントを通じて供給されるため、典型的には電力変換器と称する器具は、高電圧ＡＣ電力を低電圧ＤＣ電力に変換することが必要である。低電圧ＤＣ電力は、電力変換器によって器具に直接提供されてもよく、エネルギーを器具に提供するが、蓄積されたエネルギーが尽きると充電が必要となる充電式電池を充電するのに使用されてもよい。典型的には、電池は、電池が必要とする一定電流と一定電圧の要件を満たす電力変換器を含む電池充電器で充電される。作動中、電力変換器は、広くは負荷と称される電池のような電気器具に供給される出力電力を調整するためのコントローラを使用する。より具体的には、そのコントローラは、負荷に供給される電力を調整するために、電力変換器の出力のフィードバック情報を提供するセンサに結合される。コントローラは、電力線のような入力電力源から出力にエネルギー・パルスを転送するために、センサからのフィードバック情報に応答して、電力スイッチをオン・オフさせるように制御することによって負荷への電力を調整する。
【０００５】
電力変換器制御回路は数多くの目的及び用途に使用されている。集積制御回路の外部の部品の数を削減することが可能な制御回路機能に関する要求がある。外部部品数のこの削減は電力変換器の小型化を可能にすることで携帯性を向上させ、電力変換器設計を仕上げるために必要とされる設計段階の数を削減し、かつ最終製品の信頼性もやはり高める。さらに、削減された部品数は電力変換器の動作においてエネルギー効率の向上を提供することが可能であり、かつ電力変換器のコストを削減することが可能である。部品数削減に関して可能性を提供する電力変換器の一態様は電力変換器内の不良状態を検出するために以前から必要とされた外部回路を単純化又は除外することにある。
【０００６】
ＡＣ／ＤＣ電力変換のために使用される電力変換器では、出力電圧が、通常では電力変換器の入力側で制御回路に連結されるフィードバック回路を経由してフィードバック信号を発生させるために、電源出力端子間で測定される。通常、電力変換器の制御回路はフィードバック信号に応答して出力端子の出力電力を調節する。さらに特定すると、電力変換器の入力部から出力部にエネルギーを伝達するために連結された電力スイッチのスイッチングを制御するように制御回路はフィードバック信号に応答する。
【特許文献１】米国仮出願第６０／９２２１２５号
【発明の開示】
【発明が解決しようとする課題】
【０００７】
フィードバック回路内の短絡又は開回路などの不良のせいで制御回路がフィードバック情報を失えば、電力変換器は無調節の電力を供給する可能性が高く、これは電力変換器に連結された電気デバイス又は電力変換器自体に損傷を引き起こすこともある。
【０００８】
他に指定がなければ、それぞれの図の全体を通して同様の参照番号が同様の部分を指す以下の図を参照しながら本発明の非限定的か非網羅的な実施形態と具体例を説明する。
【発明を実施するための最良の形態】
【０００９】
電力供給装置内の不良状態を検出するための方法及び装置が開示される。以下の説明では、本発明の完全な理解を提供するために数多くの特定の詳細が述べられる。しかしながら、特定の詳細が本発明を実践するために必ずしも使用される必要がないことは当業者に明らかであろう。他の例では、本発明を曖昧にするのを避けるためによく知られている材料又は方法は詳しく述べられていない。
【００１０】
本明細書全体を通じての「一実施形態」、「実施形態」、「一具体例」又は「具体例」とは、実施形態又は具体例に関して記載されている特定の特徴、構造又は特性が本発明の少なくとも１つの実施形態に含まれることを意味する。したがって、本明細書全体の様々な箇所における「一実施形態」、「実施形態」、「一具体例」又は「具体例」という語句は、すべて同一の実施形態又は具体例を指すとは限らない。また、特定の特徴、構造又は特性を１つ又は複数の実施形態又は具体例における任意の好適な組合せ及び／又は部分的組合せとして組み合わせることができる。また、本明細書とともに提供されている図は、当業者に対する説明を目的としたものであること、及び図面は、必ずしも同じ縮尺で描かれていないことが理解できるであろう。
【００１１】
本発明の教示に従って電力供給装置内の不良状態を検出するための回路がここで述べられる。
【００１２】
図１Ａは本願明細書では電力供給装置とも称されるスイッチング電力変換器１００Ａの一例を具体的に示す機能ブロック図であり、この電力変換器はフライバック・トポロジを使用し、かつ本発明の教示に従って不良状態を検出する。例示された電力変換器１００Ａの例はエネルギー伝達素子１１０、クランプ回路１１８、フィードバック回路１２１、制御器１３８、電力スイッチ１４０、ダイオード１６６、キャパシタ１６８を含む。
【００１３】
電力変換器１００Ａは無調節の入力電圧１０２から負荷１２４に出力電力を供給する。入力電圧１０２はエネルギー伝達素子１１０と電力スイッチ１４０に連結される。図１Ａの例では、エネルギー伝達素子１１０は入力巻線１１２と出力巻線１１４を備えた変圧器である。「入力巻線」は「一次巻線」と称され、「出力巻線」は「二次巻線」と称されることもある。電力スイッチ１４０への最大電圧を制限するためにクランプ回路１１８がエネルギー伝達素子１１０の入力巻線１１２に連結されている。制御器１３８に応答して電力スイッチ１４０が閉じられて電流がスイッチを通して流れ、開かれてスイッチを通る導通を実質的に終了させる。したがって、閉じられたスイッチはオン状態にされていると称され、これに対して開かれたスイッチはオフ状態にされていると称される。一例では、電力スイッチ１４０はトランジスタである。一例では、制御器１３８はモノリシック集積回路として実装されてもよく、又は個別電気部品とするか、個別回路と集積回路の組合せとして実装されてもよい。電力変換器の動作中、電力スイッチ１４０のスイッチングがダイオード１６６内に脈動電流を作り出し、これがキャパシタ１６８によってフィルタ処理されて負荷１２４に実質的に一定の出力電圧１２２又は出力電流１３０が生成される。
【００１４】
電力スイッチ１４０をスイッチングさせる制御器１３８によって調節されるべき出力は出力電圧１２２、出力電流１３０、又はこれら２つの組合せである。フィードバック回路１２１は感知信号１５０を出力するように連結される。一例では、感知信号１５０は電力スイッチ１４０がオン状態にあるときの入力電圧１０２を表す。一例では、感知信号１５０は電力スイッチ１４０がオフ状態にあるときの出力電圧１２２を表す。
【００１５】
描かれた例に示されるように、制御器１３８はフィードバック回路１２１によって生成された感知信号１５０をサンプリングするように連結される。サンプリングされた感知信号は次いで、不良状態がフィードバック回路１２１内に存在するかどうか判定するために制御器１３８によって使用される。
【００１６】
動作時では、制御器１３８は電力変換器１００Ａの出力量を実質的に調節するように電力スイッチ１４０を動作させる。フィードバック回路１２１からの感知信号１５０に応答して不良状態が検出されれば、制御器１３８は電力変換器１００Ａによって負荷１２４に供給される出力電力レベルを減少させる。
【００１７】
図１Ｂは、本発明の教示に従って感知信号１５０に応答して不良状態を検出する制御器１３８を使用する一例の電力変換器１００Ｂを具体的に示す結線図である。電力変換器１００Ｂは電力変換器１００Ａの１つの可能な実装例を表す。例示された電力変換器１００Ｂの例は第１と第２の入力端子１０４、１０６、エネルギー伝達素子１１０、クランプ回路１１８、整流回路１２０、フィードバック回路１２１、第１と第２の出力端子１２６、１２８、制御器１３８、電力スイッチ１４０、入力戻り１４２、出力戻り１５８を含む。例示されたエネルギー伝達素子１１０の例は入力巻線１１２、出力巻線１１４、補助巻線１１６を含む。クランプ回路１１８はキャパシタ１６０、抵抗器１６２、ダイオード１６４を有するように示されている。整流回路１２０はダイオード１６６とキャパシタ１６８を有するように示されている。示されたフィードバック回路１２１の例は補助巻線１１６と抵抗器１３４、１３６を含む。制御器１３８はフィードバック端子１４４、出力端子１４６、接地端子１４８を有するように示されている。
【００１８】
一例では、電力変換器１００Ｂは絶縁型フライバック変換器であり、ここでは入力戻り１４２と出力戻り１５８は互に絶縁されている。一例では、エネルギー伝達素子１１０は電力変換器１００Ｂの入力側から出力側にＤＣ電流が流れるのを実質的に阻止している。他の例では、エネルギー伝達素子１１０は一体に連結された入力戻り１４２と出力戻り１５８を備えた非絶縁型変換器である。他の例において電力変換器１００Ｂが本発明の教示に従って複数の出力部を有してもよいことに留意すべきである。
【００１９】
図示されるように、制御器１３８は一例では金属酸化物半導体電界効果型トランジスタ（ＭＯＳＦＥＴ）スイッチ、バイポーラ型トランジスタなどである電力スイッチ１４０に連結される。電力スイッチ１４０はエネルギー伝達素子１１０の入力巻線１１２に連結され、これが入力電圧１０２に連結される。例示された例では、クランプ回路１１８は電力スイッチ１４０にかかる最大電圧を制限するために入力巻線１１２の間に連結される。一例では、制御器１３８と電力スイッチ１４０が、ハイブリッド又はモノリシックの集積回路として製造される集積回路の一部として形成されてもよい。
【００２０】
例示された例では、電力変換器１００Ｂの第１と第２の入力端子１０４、１０６から負荷１２４に連結された電力変換器出力端子１２６、１２８へ供給されるエネルギーを調節するために制御器１３８が連結されている。一例では、調節される特定の出力パラメータはＤＣ出力電圧１２２である。感知信号１５０は抵抗器１３４、１３６によって形成された抵抗分割器を通じて補助巻線１１６から制御器１３８に連結される。一例では、抵抗器１３４、１３６の値は所望の出力電圧１２２に基づいて選択又は調節される。
【００２１】
動作時では、制御器１３８は感知信号１５０に応答して電力スイッチ１４０をスイッチングさせることによって電力供給装置１００の出力を調節する。電力スイッチ１４０がオン状態にあるとき、入力端子１０４、１０６からのエネルギーがエネルギー伝達素子１１０の入力巻線１１２の中に伝えられる。電力スイッチ１４０がオフ状態にあるとき、入力巻線１１２に蓄えられたエネルギーが出力巻線１１４に伝えられる。出力巻線１１４からのエネルギーは、順方向にバイアスされた電力用ダイオード１６６を通って出力キャパシタ１６８と負荷１２４に流れる出力電流１３０として電力変換器１００Ｂの出力部に伝えられる。出力電流１３０は電力スイッチ１４０のオフ状態の間に電力用ダイオード１６６を通って流れるが、出力電圧１２２は出力巻線１１４にかかる電圧に実質的に等しい。動作時では、制御器１３８は例示された例ではダイオード１６６を含む整流回路１２０内に脈動電流を作り、キャパシタ１６８によってフィルタ処理されることで実質的に一定の出力電圧１２２を生成する。
【００２２】
図１Ｂに示されるように、制御器１３８は感知信号１５０を受信するように連結され、この信号は一例では電圧信号であるが、他の例では電流信号又は電力供給装置の入力及び／又は出力の指標となる他の信号であってもよく、それでもなお本発明の教示から恩典を得ることができる。図１Ｂに示されるように、補助巻線１１６は電力スイッチ１４０がオフ状態にあるときの出力電圧１２２を表す反映電圧１７４を供給する。反映電圧１７４はまた、電力スイッチ１４０がオン状態にあるときの入力電圧１０２を表する。一例では、感知信号１５０は反映電圧１７４を表し、フィードバック端子１４４を経由して制御器１３８によって受信される。上述された反映電圧１７４と同様に、感知信号１５０は電力スイッチ１４０がオン状態にあるときの入力電圧１０２を表しかつ電力スイッチ１４０がオフ状態にあるときの出力電圧１２２を表す。
【００２３】
一例では、反映電圧１７４及び／又は感知信号１５０は電力スイッチ１４０がオフ状態にある時間の部分のみについて出力電圧１２２を表し、電力スイッチ１４０がオン状態にある時間の部分のみについて入力電圧１０２を表す。
【００２４】
電力スイッチ１４０がオン状態にあるとき、ドレイン電流１５６が入力巻線１１２を通って流れることで反映電圧１７４が入力電圧１０２に比例する電圧を表すことを可能にする。反映電圧１７４は入力巻線１１２の巻き回数に対する補助巻線１１６の巻き回数の比で入力電圧１０２に比例し得る。巻き数比と電圧比との間にある一例の関係は以下で示され、
ＶREFLECT／ＶLINE＝ＮA／ＮI                    （１）
ここでＮAは補助巻線１１６の巻き回数であり、Ｎ1は入力巻線１１２の巻き回数である。
【００２５】
電力スイッチ１４０がオン状態からオフ状態に移行すると、ドレイン電流１５６は電力スイッチ１４０を通って流れることを実質的に阻止され、入力巻線１１２に蓄えられたエネルギーが出力巻線１１４へと移されることで反映電圧１７４が出力電圧１２２に比例する電圧を表す。反映電圧１７４は出力巻線１１４の巻き回数に対する補助巻線１１６の巻き回数の比で出力電圧１２２に比例す。巻き数比と電圧比との間にある一例の関係は以下で示され、
ＶREFLECT／（ＶOUT＋ＶF）＝ＮA／ＮO            （２）
ここでＮAは補助巻線１１６の巻き回数であり、Ｎ0は出力巻線１１４の巻き回数であり、ＶFはダイオード１６６が順方向にバイアスされるときにダイオード１６６の間の電圧である。一例では、ＶFはＶOUTに関して無視し得る大きさであり、式２は次のように単純化される。
ＶREFLECT／ＶOUT≒ＮA／ＮO                      （３）
【００２６】
一例では、フィードバック回路１２１がフィードバック端子１４４から切り離されるか又は入力戻り１４２に短絡されれば、制御器１３８が不良状態を認識し、出力端子１２６、１２８の電力を制限するためのある時間電力スイッチ１４０のスイッチングを妨げる。感知信号１５０がフィードバック端子１４４に到達するのを阻止されると、制御器１３８は、電力スイッチ１４０がオン状態にあるときの入力電圧１０２を実質的に０ボルトとして感知し、電力スイッチ１４０がオフ状態にあるときの出力電圧１２２を実質的に０ボルトとして感知する。一例では、制御器１３８は、入力電圧１０２を表す感知信号１５０が線間電圧しきい値よりも下にあるときに不良状態を認識する。他の例では、制御器１３８は出力電圧１２２を表す感知信号１５０が出力電圧しきい値よりも下にあるときに不良状態を認識する。
【００２７】
一例では、抵抗器１３４が補助巻線１１６又はフィードバック端子１４４から切り離されれば、制御器１３８が不良状態を検出する。他の例では、抵抗器１３６が入力戻り１４２に短絡されれば、制御器１３８はやはり不良状態を検出する。上記の例において説明された理由で、不良状態が検出されれば制御器１３８は出力端子１２６、１２８に供給される電力を制限するためのある時間電力スイッチ１４０のスイッチングを妨げる。
【００２８】
図２は本発明の教示による一例の制御器２０２を具体的に示す機能ブロック図である。制御器２０２は図１Ａ、１Ｂに示された制御器１３８の１つの可能な実装例を表す。例示された制御器２０２の一例はセンサ２０４、不良検出器２０６、制御部２０８、発振器２１０を含む。
【００２９】
例示された例では、センサ２０４はフィードバック端子１４４を経由して感知信号１５０を受信するように連結される。動作時では、センサ２０４は感知信号１５０をサンプリングし、サンプル信号２１４を出力する。サンプル信号２１４は電流又は電圧の形態である。一例では、センサ２０４は電力スイッチ１４０のオン状態の間に感知信号１５０をサンプリングする。この例では入力電圧１０２を表すサンプル信号２１４を出力する。他の例では、センサ２０４は電力スイッチ１４０のオフ状態の間に感知信号１５０をサンプリングし、この例では出力電圧１２２を表すサンプル信号２１４を出力する。
【００３０】
図２の例では、不良検出器２０６はサンプル信号２１４を受信するように連結される。動作時では、不良検出器２０６はサンプル信号２１４を不良しきい値と比較する。一例では、不良しきい値はサンプル信号２１４が電流であるときには電流しきい値であり、サンプル信号２１４が電圧であるときには電圧しきい値である。不良しきい値はサンプル信号２１４が入力電圧１０２を表せば入力不良しきい値を含み、サンプル信号２１４が出力電圧１２２を表せば出力不良しきい値を含む。一例では、サンプル信号２１４が或る時間期間について不良しきい値よりも下であれば、不良検出器２０６は阻止信号２１６を出力し、これは電力変換器内の不良状態の存在を示す。この例では、不良状態が存在するかどうか判定するための時間期間は発振器２１０によって生成されたクロック信号２１２に応答して決定される。
【００３１】
例示された制御器２０２の例は阻止信号２１６を受信するように連結された制御部２０８を含む。一例では、制御部２０８は電力スイッチ１４０をオン状態とオフ状態の間で交互に入れ替えるために出力端子１４６を経由してドライブ信号１５４を出力する。一例では、入力巻線から出力巻線へのエネルギーの伝達を制御することで電力変換器の出力を調節するために制御部２０８は他のフィードバック情報（図示せず）を受信するように連結される。この例では、調節される出力は出力電圧１２２、出力電流１３０、又は両方の組合せを含む。制御部２０８は電力スイッチ１４０のスイッチングを制御するために、限定はされないがオンオフ制御、パルス幅変調（ＰＷＭ）などを含めた様々な技術を使用することができる。
【００３２】
本発明の教示によると、制御部２０８は不良状態の存在を示す制止信号２１６の受信に応答して電力スイッチ１４０のスイッチングを妨げる。不良状態の存在に応答して、制御部２０８は電力変換器によって出力される電力レベルを下げるように電力スイッチ１４０のスイッチングを妨げる。一例では、制御部２０８は電力スイッチ１４０を不能にする（例えば電力スイッチ１４０をオフ状態に保つ）ことによってスイッチングを妨げる。一例では、制御部２０８はドライブ信号１５４の周波数又はデューティ・サイクルを調節することによってスイッチングを妨げる。一例では、制御部２０８は電力スイッチ１４０がオン状態にある間にドレイン電流１５６を制限することによってスイッチングを妨げる。なおも他の例では、制御部２０８は不良状態が存在するかぎり不良サイクルを繰り返す。この不良サイクルは電力スイッチ１４０のいくつかのスイッチング・サイクルとこれに続くいくつかのスキップ・スイッチング・サイクルを含む。
【００３３】
図３Ａは本発明の教示に従って電力変換器の入力電圧１０２を表すサンプル信号２１４Ａを出力する一例のセンサ２０４Ａを具体的に示す結線図である。センサ２０４Ａは電力スイッチ１４０のオン状態の間に感知信号１５０をサンプリングするための図２に示されたセンサ２０４の可能な１つの実装を表す。例示されたセンサ２０４Ａの例は内部電圧源３０２、ｎ−チャンネルのトランジスタ３０４、３０６、ｐ−チャンネルのトランジスタ３０８、３１０、３１２、電流源３１４、キャパシタ３１６、サンプリング命令ブロック３１８、インバータ３２０を含む。
【００３４】
ｎ−チャンネル及びｐ−チャンネルのトランジスタは、ｎ−チャンネルのトランジスタをオンに切り換わらせる信号がｐ−チャンネルのトランジスタをオフに切り換わらせるように相補的又は反対の機能を実行する。アナログ信号については、ｎ−チャンネルのトランジスタがさらに多くの電流を流す原因になる信号はｐ−チャンネルのトランジスタがより少ない電流を流す原因になる。ｎ−チャンネルのトランジスタは、トランジスタが電流を流すためにゲートとソースとの間に正の電圧を必要とする。ｐ−チャンネルのトランジスタは、トランジスタが電流を流すためにゲートとソースとの間に負の電圧を必要とする。ｎ−チャンネルのトランジスタは、ｎ−チャンネルのトランジスタのゲートとソースとの間の正の電圧がトランジスタのしきい値電圧よりも小さいと、電流がｎ−チャンネルのトランジスタを通って流れるのを実質的に阻止する。ｎ−チャンネルのトランジスタのゲートとソースとの間の電圧がトランジスタのしきい値電圧よりも大きくなると、より多くの電流がｎ−チャンネルのトランジスタを通って流れることを許される。反対に、ｐ−チャンネルのトランジスタは、ｐ−チャンネルのトランジスタのゲートとソースとの間の負の電圧がトランジスタの負のしきい値電圧よりも小さい負である（一層ゼロに近い）と、電流がｐ−チャンネルのトランジスタを通って流れるのを実質的に阻止される。ｐ−チャンネルのトランジスタのゲートとソースとの間の負の電圧がトランジスタの負のしきい値電圧よりもさらに負になると、さらに多くの電流がｐ−チャンネルのトランジスタを通って流れることができる。
【００３５】
例示された例では、内部電圧源３０２はトランジスタ３０４に電流Ｉ1を供給する電流源３１４に連結される。トランジスタ３０４のゲートはトランジスタ３０６のゲートに連結される。トランジスタ３０８は内部電圧源３０２とトランジスタ３０６との間に連結される。動作時では、電力スイッチ１４０がオン状態にあるときにセンサ２０４Ａが感知信号１５０をサンプリングする。さらに特定すると、フィードバック端子１４４を通って流れる内部電流３２２のためフィードバック端子１４４は共通基準電位１４２に対して実質的に０ボルトにクランプされる。一例では、電力スイッチ１４０がオン状態にあるときに反映電圧１７４が負であるので内部電流３２２は負の電流である。一例では、内部電流３２２は入力電圧１０２を表す反映電圧１７４の大きさに応答して変化する。
【００３６】
図３Ａに示されるように、内部電流３２２はトランジスタ３０６、３０８を通って流れる。一例では、内部電流３２２は図１Ｂに示された抵抗器１３４の抵抗によって分割される反映電圧１７４である。図３Ａの描かれた例に示されるように、トランジスタ３１２はトランジスタ３０８のゲートとトランジスタ３１０のゲートとの間に連結される。インバータ３２０の出力部はトランジスタ３１２のゲートに連結される。インバータ３２０は信号３２４を受信するように連結される。
【００３７】
例示された例に示されるように、サンプリング命令ブロック３１８は、電力スイッチ１４０がオン状態にあるときにのみトランジスタ３１２がオン状態になるようにインバータ３２０に連結される。一例では、信号３２４は電力スイッチ１４０がオフ状態からオン状態に移行した後の短時間についてハイになる。一例では、信号３２４はドライブ信号１５４から駆動されてもよい。
【００３８】
図示されるように、キャパシタ３１６は内部電圧源３０２とトランジスタ３１０のゲートとの間に連結される。信号３２４がハイであるとき、トランジスタ３１２は、トランジスタ３１０のゲートの電圧をトランジスタ３０８のゲートの電圧に一致するように調節するためにキャパシタ３１６に／から電流を流させる。信号３２４がローであるとき、トランジスタ３１２はオフであり、キャパシタ３１６に／から電流が流れることを実質的に阻止する。トランジスタ３０８のゲートの電圧はトランジスタ３１０のゲートの電圧に実質的に等しいので、内部電流３２２に比例したサンプル電流３２６がトランジスタ３１０を通って流れる。一例では、サンプル電流３２６に対する内部電流３２２の比例はトランジスタ３１０に対するトランジスタ３０８のサイズの比例に基づいている。描かれた例によると、サンプル電流３２６は反映電圧１７４を表す。一例では、サンプル電流３２６はサンプル信号２１４Ａによって電流として表される。他の例では、サンプル信号２１４Ａはサンプル電流３２６を表す電圧に変換される。
【００３９】
図３Ｂは本発明の教示に従って電力変換器の出力電圧１２２を表すサンプル信号２１４Ｂを出力する一例のセンサ２０４Ｂを具体的に示す結線図である。センサ２０４Ｂは電力スイッチ１４０のオフ状態の間に感知信号１５０をサンプリングするための図２に示されたセンサ２０４の可能な１つの実装を表す。例示されたセンサ２０４Ｂの例は内部電圧源３４０、電流ミラー３４２、ｎ−チャンネルのトランジスタ３４８、電流源３５０、３５２、キャパシタ３５４、サンプリング命令ブロック３５６を含む。電流ミラー３４２はｐ−チャンネルのトランジスタ３４４、３４６を有するように例示されている。
【００４０】
例示された例では、内部電圧源３４０は電流ミラー３４２に電流を供給する電流源３５２に連結される。一例では、トランジスタ３４４、３４６はマッチングしたトランジスタである。この例では、電流源３５０はトランジスタ３４６から電流を吸い込むように連結される。トランジスタ３４４のゲートはフィードバック端子１４４を経由して感知信号１５０を受信するように連結される。この例では、感知信号１５０は図１Ｂに示された抵抗器１３６で電圧降下したフィードバック電圧１５２を含む。図３Ｂに描かれるように、トランジスタ３４８はトランジスタ３４６のゲートとトランジスタ３５４のゲートとの間に連結される。トランジスタ３４８のゲートはサンプリング命令ブロック３５６によって生成された信号３５８を受信するように連結される。
【００４１】
動作時では、トランジスタ３４４のゲートの電圧はフィードバック電圧１５２に等しい。入力戻り１４２に対するトランジスタ３４６のゲートの電圧は実質的にフィードバック電圧１５２に等しい。一例では、サンプル信号２１４Ｂは出力電圧１２２を表す。図示されるように、キャパシタ３５４は、信号３５８がハイであるときにトランジスタ３４８がサンプリングされた信号２１４Ｂを調節してフィードバック電圧１５２に一致させるためにキャパシタ３５４に／から電流が流れることを可能にするようにトランジスタ３４８に連結される。
【００４２】
例示された例に示されるように、サンプリング命令ブロック３５６は、電力スイッチ１４０がオフ状態にあるときにのみトランジスタ３４８がオン状態になるようにトランジスタ３４８に連結される。一例では、信号３５８は電力スイッチ１４０がオン状態からオフ状態に移行した後の短時間ハイになる。信号３５８がローであるとき、スイッチ３４８は電流がキャパシタ３５４に／から流れることを実質的に阻止する。一例では、信号３５８は感知信号１５０から由来する。
【００４３】
一例では、サンプリング命令ブロック３５６は電力スイッチ１４０のオフ状態のサンプリング期間を決定するように連結される。一例では、サンプリング命令ブロック３５６は感知信号１５０をしきい値電圧レベルと比較して感知信号１５０がしきい値電圧レベルよりも大きいときに論理ハイとして信号３５８を生成することによってサンプリング期間を決定する。一例では、トランジスタ３４８がサンプリング命令ブロック３５６によって信号３５８の論理ハイでドライブされる持続時間はキャパシタ３５４が充電するのを可能にする時間期間に実質的に等しい。一例では、トランジスタ３４８は出力電流１３０がダイオード１６６を通って流れる時間のうちの一部分のみについて信号３５８の論理ハイによってドライブされる。
【００４４】
ここで図２に戻って参照すると、センサ２０４は電力スイッチ１４０のオン状態の間でのみ感知信号１５０をサンプリングして電力変換器の入力電圧を表すサンプル信号２１４を出力するセンサ２０４Ａを含む。他の例では、センサ２０４は電力スイッチ１４０のオフ状態の間でのみ感知信号１５０をサンプリングして電力変換器の出力電圧を表すサンプル信号２１４を出力するセンサ２０４Ｂを含む。さらに別の例では、センサ２０４はオン状態とオフ状態それぞれに感知信号１５０をサンプリングするためにセンサ２０４Ａと２０４Ｂの両方を含む。この例では、センサ２０４は電力スイッチ１４０のオン状態の間の入力電圧、及びオフ状態の間の出力電圧を表す感知信号２１４を出力する。
【００４５】
図４Ａは本発明の教示に従って電力変換器の不良状態の存在を示す阻止信号２１６を出力する例の不良検出器２０６を具体的に示す機能ブロック図である。例示された不良検出器２０６の例は比較器４０２、ＡＮＤゲート４０４、カウンタ４０６を有する。一例では、比較器４０２はサンプル信号２１４を電流として受け取る電流比較器であるが、しかし他の例では比較器４０２はサンプル信号２１４を電圧として受け取る電圧比較器である。例示された例では、比較器４０２はノード４１０と、しきい値電流ＩTHRESH４１８を生成する電流源４０８とを含む電流比較器である。他の例では、比較器４０２は電圧しきい値を生成する電圧源を含む電圧比較器である。
【００４６】
例示された例では、比較器４０２はサンプル信号２１４を受信するように連結される。一例では、サンプル信号２１４はセンサ２０４Ａによって生成されたサンプル信号２１４Ａを含み、入力電圧１０２を表す。一例では、サンプル信号２１４はセンサ２０４Ｂによって生成されたサンプル信号２１４Ｂを含み、出力電圧１２２を表す。電圧比較器として実装されても電流比較器として実装されても比較器４０２はＡＮＤゲート４０４の入力端子に決定信号４１２を出力するようにやはり連結される。
【００４７】
動作時では、比較器４０２はサンプル信号２１４を受け取り、決定信号４１２の論理状態を判定するためにこれを不良しきい値と比較する。一例では、比較器４０２はしきい値電流４１８を引き出す電流源４０８を含むが、しかし他の例では比較器４０２はしきい値電圧を生成するための電圧源を含むこともある。描かれた例では、サンプル信号２１４はサンプル電流（例えば図３Ａのサンプル電流３２６）を表す。この例では、サンプル信号２１４がしきい値電流４１８よりも大きいと、不良状態は検出されない。不良状態が検出されないと、決定信号４１２はノード４１０と入力戻り１４２との間の電位の上昇のせいで論理ハイに設定される。反対に、サンプル信号２１４がしきい値電流４１８よりも小さいとき、不良状態が検出される。不良状態が検出されると、決定信号４１２はノード４１０と入力戻り１４２との間の実質的にゼロ又は低い電位のせいで論理ローに設定される。動作時では、比較器４０２は不良状態がフィードバック回路１２１内で検出されることを表す論理ロー、及び不良状態が検出されないことを表す論理ハイに決定信号４１２を設定する。
【００４８】
例示された例では、不良検出器２０６はサンプル信号２１４が不良しきい値（例えばＩTHRESH４１８）よりも下であれば不良状態を検出するように示される。一例では、ＩTHRESH４１８はフィードバック回路１２１内の不良状態を検出するように設定される。フィードバック回路１２１内の不良はフィードバック端子１４４における実質的に開回路又は実質的に短絡回路状態として検出される。この例では、ＩTHRESH４１８はサンプル信号２１４によって表されるフィードバック電圧１５２が実質的に０ボルトであるときに比較器４０２が決定信号４１２を論理ローとして出力するように設定される。
【００４９】
例示された不良検出器２０６の例はフィードバック回路１２１内の不良を検出することと結び付けて述べられているが、他の例においてＩTHRESH４１８が電力変換器内の様々な他の不良状態を検出するように設定されることは認識される。例えば、ＩTHRESH４１８は入力電圧１０２の低下を検出するために入力線間電圧しきい値に設定される。他の例はＩTHRESH４１８は出力電圧１２２の低下を検出するために出力電圧しきい値に設定される。
【００５０】
描かれた例に示されるように、ＡＮＤゲート４０４は決定信号４１２とカウント信号４１６の両方に応答して設定されるリセット信号４１４を出力する。動作時では、決定信号４１２とカウント信号４１６が両方共にハイであるときのみ、リセット信号４１４はハイである。描かれた例では、カウンタ４０６は無安定反復カウンタである。リセット信号４１４がハイであると、カウンタ４０６はそのカウント数をゼロにリセットする。リセット信号４１４がローであると、カウンタ４１６はクロック信号２１２に応答してカウント数をインクリメントする。したがって、比較器４０２によって不良状態が検出されなければ、論理ローに変化する決定信号４１２によって示されるように、不良状態が検出されるなどの時間までカウンタ４０６は持続的にカウント数をリセットする。
【００５１】
一例では、カウンタ４０６はカウンタ４０６が論理ハイの阻止信号２１６を出力する前の不良状態が存在するはずである時間期間を表す第１の数のしきい値Ｎ１を含む。第１の数のしきい値Ｎ１は、瞬間的な不良状態が制御部２０８に電力スイッチ１４０のスイッチングを阻止させる事態を未然に防ぐ。この例では、カウンタ４０６はカウント数が第１の数のしきい値Ｎ１に達するまで阻止信号２１６を論理ローに保つ。第１の数のしきい値Ｎ１に達する前に不良状態が取り除かれるか又は存在しなくなれば、カウンタ４０６のカウント数がゼロにリセットされ、阻止信号２１６は論理ローに保たれる。
【００５２】
一例では、カウンタ４０６は制御部２０８が電力スイッチ１４０のスイッチングを阻止するべき時間期間を表す第２の数のしきい値Ｎ２を含む。この例では、カウンタ４０６が第１の数のしきい値に達した後に阻止信号２１６が論理ローから論理ハイへと移行させられ、制御部２０８が電力スイッチ１４０のスイッチングを阻止する結果につながる。この時点で、第２の数のしきい値Ｎ２に達するまでカウンタ４０６はカウント動作を続ける。カウント数が第１と第２の数のしきい値の間にあるとき、カウンタ４０６は論理ローのカウント信号４１６をＡＮＤゲート４０４に出力する。したがってこの例では、不良状態が残っているかどうかに関係なく第２の数のしきい値に達するまで阻止信号２１６は論理ハイを維持する。これは不良状態の瞬間的な非存在がカウンタをリセットすることを防ぎ、したがって制御部２０８が電力変換器の出力電力レベルを下げることができる。
【００５３】
動作時では、カウンタ４０６が第１のしきい値数Ｎ１を超え、次いで論理ローのリセット信号４１４に結果としてつながる論理ローに移行するまでカウント信号４１６は常に論理ハイに設定される。カウンタ４０６は第１のしきい値数Ｎ１から第２のしきい値数Ｎ２にカウンタ４０６をインクリメントする時間についてカウント信号４１６を論理ローに保つ。カウンタ４０６はまた、カウンタ４０６が第１のしきい値数Ｎ１と第２のしきい値数Ｎ２との間にあると阻止信号２１６を論理ハイに設定する。一例では、第２のしきい値数Ｎ２に達した後にカウンタ４０６はカウント数を自動的にリセットする。
【００５４】
図４Ｂは、本発明の教示に従って電力変換器の不良状態の存在を示す阻止信号２１６を出力する不良検出器に関して波形を示している。例示された図４Ｂの波形は図４Ａに示された不良検出器２０６の１つの可能な実装例の波形を表す。
【００５５】
例示された例では、繰り返しの不良サイクル４５０において制御器１３８は出力端子１２６、１２８に供給される電力の量を制限するように動作する。この例では、例えば制御器１３８がフィードバック回路１２１から感知信号１５０を受信し損ねることによって不良状態が検出される。この例では、繰り返しの不良サイクル４５０はカウンタ４０６が第１のしきい値数Ｎ１に達するまで不良状態が取り除かれなければ、カウンタ４０６がリセットすることを可能にする。いったん第１のしきい値数Ｎ１に達すると、カウンタ４０６が論理ハイの阻止信号２１６を出力し、これはカウンタ４０６が第２のしきい値数に達するまでハイに保たれる。描かれた例では、カウンタ４０６は電力スイッチ１４０の各々のスイッチング・サイクル４５５中にインクリメントする。一例ではカウンタ４０６は発振器２１０によって生成されたクロック信号２１２に応答してインクリメントする。他の例では、カウンタ４０６は制御器１３８に付随するいずれかの他のタイミング信号に応答してインクリメントすることもある。
【００５６】
本開示全体を通じて開示される様々な論理レベルは具体的例であることを意図され、限定ではない。例えば、図４Ａは不良検出器２０６の情報を示すような特定の論理レベルを例示しているが、知られている論理素子が追加、除外、又は置換されることで開示された特定の論理レベルを変えることが可能であることは理解できるであろう。例えば、ＡＮＤゲート４０４がＮＡＮＤゲートで置き換えられてもよく、この場合にはリセット信号４１４の論理ハイではなく論理ローがカウンタ４０６のリセットにトリガをかける。
【００５７】
図５は、本発明の教示に従って不良状態を検出するための一例の集積回路５０２を有する一例の電力変換器５００を例示している。例示された例では、集積回路５０２は電力スイッチ５１２、及び上記で述べられた制御器１３８又は制御器２０２に類似した制御回路を含む。一例では、入力電圧１０２は１２０ボルトと３７５ボルトの間である。一例では、出力電圧１２２は約５ボルトである。集積回路５０２は一次巻線１１２の一方の端部に連結されたドレイン端子５０６、入力戻り１４２に連結されたソース端子５０８、キャパシタ５１４に連結されたバイパス端子５１０、フィードバック回路１２１からの感知信号１５０を受信するように連結されたフィードバック端子５０４を有する。図５に見られるように、集積回路５０２は単一の端子（例えばフィードバック端子５０４）を介して出力電圧を感知し、かつ入力線間電圧を感知する。
【００５８】
図６は本発明の教示に従って電力変換器内の不良状態を検出するための一例の方法６００を具体的に示すフローチャートである。記述された方法では、例の電力変換器は上記で述べられた電力変換器に類似しており、電力変換器の入力部と出力部の間に連結されたエネルギー伝達素子に連結された電力スイッチのスイッチングが存在する。この例では、電力スイッチのスイッチングはこのスイッチに連結された制御器で制御される。感知信号はフィードバック回路によって生成され、電力スイッチのオフ状態の間の電力変換器出力電圧を表し、電力スイッチのオン状態の間の電力変換器入力電圧を表す。この制御器は、感知信号に応答し、かつこの制御器はフィードバック回路内の不良状態の存在を検出するため、及び不良状態の検出に応答して電力スイッチのスイッチングを妨げるために連結される。
【００５９】
特に、方法６００はブロック６０５で始まる。ブロック６１０で、カウンタ（例えばカウンタ４０６）がゼロにリセットされる。ブロック６１５で、センサ（例えばセンサ２０４）が感知信号（例えば感知信号１５０）をサンプリングする。一例では、このセンサは電力スイッチのオン状態の間の感知信号をサンプリングする。一例では、このセンサは電力スイッチのオフ状態の間の感知信号をサンプリングする。
【００６０】
決定ブロック６２０では、サンプリングされた感知信号が不良しきい値（ＦＴ）と比較される。一例では、サンプリングされた感知信号は図４Ａの比較器４０２などの比較器によってＦＴと比較される。サンプリングされた感知信号がＦＴよりも大きければ、不良状態が検出されず、方法６００はブロック６１０に戻ってここでカウンタがリセットされる。しかしながらサンプリングされた感知信号がＦＴよりも大きくなければ、不良状態が検出されて本方法はブロック６２５に続く。ブロック６２５ではカウンタがインクリメントされる。上記に述べられたように、カウンタは電力スイッチの各々のスイッチング・サイクルでインクリメントされてもよく、又は制御器内部のクロック信号に応答してインクリメントされてもよい。
【００６１】
ブロック６３０で、カウンタが第１の数のしきい値Ｎ１と比較される。カウンタが第１の数のしきい値よりも大きくなければ、方法６００は感知信号を再びサンプリングするためにブロック６１５に戻る。カウンタが第１の数のしきい値よりも大きくなるまで、又はサンプリングされた感知信号が不良しきい値ＦＴよりも上に上昇すれば方法６００はブロック６１５〜６３０を繰り返すであろう。
【００６２】
ブロック６３５で、電力スイッチのスイッチングが阻止される。一例では、不良状態が存在することを示すために不良検出器（例えば不良検出器２０６）が制御部（例えば制御部２０８）に阻止信号を出力する。阻止信号の受信に応答して、制御部は電力変換器の出力電力レベルを下げるために電力スイッチのスイッチングを阻止する。
【００６３】
ブロック６４０でカウンタが再びインクリメントされ、ブロック６４５でカウンタが第２の数のしきい値Ｎ２と比較される。方法６００はカウンタが第２の数のしきい値よりも大きくなるまでブロック６３５〜６４５を繰り返し、電力スイッチのスイッチングを阻止し続ける。いったんカウンタがＮ２よりも大きくなると、方法６００はブロック６１０に戻ってカウンタをリセットし、電力スイッチの通常のスイッチングを保証する。
【００６４】
方法６００において処理ブロックのうちのいくつか又は全部が現れる順序は限定であると見てはならない。そうではなく、本開示の恩典を得る当業者は処理ブロックのうちのいくつかが例示されていない様々な順序で実行され得ることを理解するであろう。
【００６５】
要約書に記載されているものを含めて、本発明の図解例の上記説明は、網羅的であること、又は開示された厳密な形態に限定されることを意図するものではない。本発明の具体的な実施形態と具体例が例示を目的として本明細書に記載されているが、本発明のより広い主旨と範囲を逸脱することなく、様々な同等の変更が可能である。具体的な電圧、電流、周波数、電力範囲値、時間等は、説明を目的として提示されていること、本発明の教示に従って、他の実施形態及び具体例に他の値を採用してもよいことが理解できるであろう。
【００６６】
これらの変更を、上記詳細な説明に鑑みて、本発明の例に加えることができる。請求項に用いられている用語は、本発明を明細書と請求項に開示された具体的な実施形態に限定するものと解釈されるべきではない。むしろ、範囲は、請求項の解釈の確定された理論に従って解釈されるべきである請求項によって専ら決定づけられるべきである。よって、本明細書及び図面は、限定的ではなく、例示的なものと見なされるべきである。
【図面の簡単な説明】
【００６７】
【図１Ａ】フライバック・トポロジを使用し、かつ本発明の教示に従って不良状態を検出するスイッチング電力変換器の一例を具体的に示す機能ブロック図である。
【図１Ｂ】本発明の教示に従って感知信号に応答して不良状態を検出することが可能な制御器回路を使用する一例の電力変換器を具体的に示す結線図である。
【図２】本発明の教示による一例の制御器回路を具体的に示す機能ブロック図である。
【図３Ａ】本発明の教示に従って電力変換器の入力電圧を表すサンプル信号を出力する一例のセンサを具体的に示す結線図である。
【図３Ｂ】本発明の教示に従って電力変換器の出力電圧を表すサンプル信号を出力する一例のセンサを具体的に示す結線図である。
【図４Ａ】本発明の教示に従って電力変換器の不良状態の存在を示す阻止信号を出力する例の不良検出器を具体的に示す機能ブロック図である。
【図４Ｂ】本発明の教示に従って電力変換器の不良状態の存在を示す阻止信号を出力する不良検出器に関して波形を示す図である。
【図５】本発明の教示に従って不良状態を検出するための一例の集積回路を有する一例の電力変換器を例示する図である。
【図６】本発明の教示に従って電力変換器内の不良状態を検出するための一例の方法を具体的に示すフローチャートである。
【符号の説明】
【００６８】
１００  電力供給装置
１００Ａ、１００Ｂ、５００  電力変換器
１０２  入力電圧
１０４  第１の入力端子
１０６  第２の入力端子
１１０  エネルギー伝達素子
１１２  入力巻線
１１４  出力巻線
１１６  補助巻線
１１８  クランプ回路
１２０  整流回路
１２１  フィードバック回路
１２２  出力電圧
１２４  負荷
１２６  第１の出力端子
１２８  第２の出力端子
【図１Ａ】
0005557224.tif 000002
【図１Ｂ】
0005557224.tif 000003
【図２】
0005557224.tif 000004
【図３Ａ】
0005557224.tif 000005
【図３Ｂ】
0005557224.tif 000006
【図４Ａ】
0005557224.tif 000007
【図４Ｂ】
0005557224.tif 000008
【図５】
0005557224.tif 000009
【図６】
0005557224.tif 000010